(57)【要約】      （修正有）【課題】所定の領域内を移動する人や物の位置を、その関係者を誤ることなく知らせる。【解決手段】アクティブタグ８のＩＤデータを読取るアクティブタグ質問器１０と、ＩＤデータを発信するアクティブタグ８と、パッシブタグ質問器４と、ＩＤデータを質問器４に送信するパッシブタグ２と、制御部１４と、両質問器４、１０と制御部との間でデータ交換を行う交信手段と、検出領域に配備される複数のアクティブタグ質問器Ａ１〜Ａｎとを有し、前記制御部はタグ２、８にそれぞれ記憶されているＩＤデータを相互に関連付けて基準データ１６として記憶すると共に、位置検出用アクティブタグ質問器の受信するアクティブタグのＩＤデータを取込んで、そのＩＤデータと制御部に記憶されているパッシブタグ２のＩＤデータとを関連づけて形成し、前記基準データと検出データとを比較し、比較結果を表示部２６に表示する、ＲＦＩＤ割符タグシステム。【選択図】図１
2006293603.tif 000002
【特許請求の範囲】
【請求項１】
アクティブタグと交信してアクティブタグにＩＤデータを書込みまたはアクティブタグのＩＤデータを読取るＩＤデータ処理用アクティブタグ質問器と、所定の時間間隔でＩＤデータを発信するアクティブタグと、ＩＤデータ処理用パッシブタグ質問器と、前記ＩＤデータ処理用パッシブタグ質問器に応答してＩＤデータをＩＤデータ処理用パッシブタグ質問器に送信するパッシブタグと、制御部と、前記ＩＤデータ処理用アクティブタグ質問器及びＩＤデータ処理用パッシブタグ質問器と制御部との間でデータ交換を行う交信手段とを有し、前記制御部はアクティブタグとパッシブタグとにそれぞれ記憶されているＩＤデータを相互に関連付けて基準データとして記憶すると共に、ＩＤデータ処理用パッシブタグ質問器の受信するパッシブタグのＩＤデータを前記交信手段を介して取込み、取込んだパッシブタグのＩＤデータと制御部に記憶されている基準データとを比較し、当該関連づけているアクティブタグのＩＤデータを抽出し当該アクティブタグに係るデータを表示部に表示する手段を有するＲＦＩＤ割符タグシステム。
【請求項２】
アクティブタグ質問器が検出領域内に配備され、且つ前記制御部と交信手段を有する複数の位置検出用アクティブタグ質問器であって、アクティブタグが移動体に付帯され、アクティブタグの発信するＩＤデータが位置検出用アクティブタグ質問器の何れかに受信されることにより、移動体の位置を検出する請求項１に記載のＲＦＩＤ割符タグシステム。
【請求項３】
アクティブタグが移動体に付帯され、アクティブタグの発信するＩＤデータが検出領域内を移動する複数の携帯型アクティブタグ質問器の何れかに受信されることにより、移動体の位置を検出する請求項２に記載のＲＦＩＤ割符タグシステム。
【請求項４】
ＩＤデータ処理用アクティブタグ質問器の受信するアクティブタグのＩＤデータを前記交信手段を介して取込み、取込んだアクティブタグのＩＤデータとパッシブタグのＩＤデータとに関連づけて抽出されたアクティブタグのＩＤデータとを比較して比較結果を表示する手段を有する請求項１に記載のＲＦＩＤ割符タグシステム。
【発明の詳細な説明】
【技術分野】
【０００１】
本発明は、ＲＦＩＤ（電波による自動認識媒体）割符タグシステムに関し、更に詳述すればアクティブタグとパッシブタグとをそれぞれのＩＤデータで関連づけして、物品や人間の帰属等を管理するシステムに関する。
【背景技術】
【０００２】
遊園地等のアミューズメント施設、公園、デパート等の人の多数集合する場所においては迷子が多発する。このような場合、アミューズメント施設等においては音声案内による迷子通知を行い、更に場合によっては施設を一時閉鎖して迷子の探索を行う事態に陥る。この場合は、人海戦術で迷子の探索を行うのが通常である。
【０００３】
しかし、このような人海戦術に頼る探索方法は、時間的にもコスト的にも負担が大きく、特に危険箇所がある施設の場合は迅速に探索を完了する必要がある。更に、迷子を引取る者が真に迷子の親であるか、否かの確認が直ちにできない問題がある。この問題は、迷子が正確に判断できない低年齢の場合に特に深刻である。
【０００４】
更に、迷子が一人で遊園地等を退園したり、園外に連れ去られたりする虞がある。
【０００５】
アミューズメント施設やホテルのロビー等で所持物を一時保管する場合、引換券と交換で所持物を引出す方式を採用している場合が多い。引換券は通常表示されている簡単な数字や記号で識別する場合が多く、このような引換券は偽造が容易である。このため、保管した所持物が他人によって不正に持出される場合がある。
【０００６】
特許文献１には、互いに異なるコードが割当てられている複数のＩＤタグを移動ユニットの移動路に沿って固定設置しておき、移動ユニットに取付けた質問器により、移動路に沿って設置されている近くのＩＤタグの割当てコードを読取ることにより移動ユニットの位置を認識するシステムが開示されている。しかしこの特許文献１に記載されているシステムは、単に移動ユニットの位置を検出しているにとどまり、上記の問題の解決に必要な特定の関係の確認、即ちアミューズメント施設における親と迷子との関係、所持品の保管に於いて所持品と持主との関係等を誤り無く認識する機能は持たない。
【特許文献１】特開２００１−３３８３８５号公報  （請求項１）
【発明の開示】
【発明が解決しようとする課題】
【０００７】
本発明者は上記問題を解決するため種々検討するうちに、アクティブタグとパッシブタグとが有するそれぞれのＩＤデータを関連付けて予め記憶した後、アクティブタグとパッシブタグを分離してそれぞれ異なる物品や人に付与し、その後必要なときに物品や人に付与したＩＤデータを読出してこれらを関連づけし、前記関連づけをした記憶データと比較することにより、物品や人同志の関係を間違いなく認識できることに想到した。従って、本発明の目的とするところは、上記問題を解決するＲＦＩＤ割符タグシステムを提供することにある。
【課題を解決するための手段】
【０００８】
上記問題を解決する本発明は、以下に記載するものである。
【０００９】
〔１〕    アクティブタグと交信してアクティブタグにＩＤデータを書込みまたはアクティブタグのＩＤデータを読取るＩＤデータ処理用アクティブタグ質問器と、所定の時間間隔でＩＤデータを発信するアクティブタグと、ＩＤデータ処理用パッシブタグ質問器と、前記ＩＤデータ処理用パッシブタグ質問器に応答してＩＤデータをＩＤデータ処理用パッシブタグ質問器に送信するパッシブタグと、制御部と、前記ＩＤデータ処理用アクティブタグ質問器及びＩＤデータ処理用パッシブタグ質問器と制御部との間でデータ交換を行う交信手段とを有し、前記制御部はアクティブタグとパッシブタグとにそれぞれ記憶されているＩＤデータを相互に関連付けて基準データとして記憶すると共に、ＩＤデータ処理用パッシブタグ質問器の受信するパッシブタグのＩＤデータを前記交信手段を介して取込み、取込んだパッシブタグのＩＤデータと制御部に記憶されている基準データとを比較し、当該関連づけているアクティブタグのＩＤデータを抽出し当該アクティブタグに係るデータを表示部に表示する手段を有するＲＦＩＤ割符タグシステム。
【００１０】
〔２〕    アクティブタグ質問器が検出領域内に配備され、且つ前記制御部と交信手段を有する複数の位置検出用アクティブタグ質問器であって、アクティブタグが移動体に付帯され、アクティブタグの発信するＩＤデータが位置検出用アクティブタグ質問器の何れかに受信されることにより、移動体の位置を検出する〔１〕に記載のＲＦＩＤ割符タグシステム。
【００１１】
〔３〕    アクティブタグが移動体に付帯され、アクティブタグの発信するＩＤデータが検出領域内を移動する複数の携帯型アクティブタグ質問器の何れかに受信されることにより、移動体の位置を検出する〔２〕に記載のＲＦＩＤ割符タグシステム。
【００１２】
〔４〕    ＩＤデータ処理用アクティブタグ質問器の受信するアクティブタグのＩＤデータを前記交信手段を介して取込み、取込んだアクティブタグのＩＤデータとパッシブタグのＩＤデータとに関連づけて抽出されたアクティブタグのＩＤデータとを比較して比較結果を表示する手段を有する〔１〕に記載のＲＦＩＤ割符タグシステム。
【発明の効果】
【００１３】
本発明に於いては、複数のタグのＩＤデータを関連づけて記憶し、これによりタグを付帯させた物品や人同士が正しい関係にあるのか否かを判定するようにしているので、物品や人同士の関係を誤ることがない。更に、各タグのＩＤデータ自体は相互に無関係なデータであるので、一方のタグのＩＤデータから他方のタグのＩＤデータを推定する方法はない。従って、このＲＦＩＤ割符タグシステムは不正に利用される余地が少ない。
【発明を実施するための最良の形態】
【００１４】
以下、本発明の実施形態の一例につき、図面を参照しながら詳細に説明する。
【００１５】
図１は、本発明のＲＦＩＤ割符タグシステムの構成の一例を示すものである。図１中、２はパッシブタグで、内部に不図示のアンテナコイルとＩＣチップ（集積回路チップ）とを有する。このパッシブタグ２は、質問器の電波を受信し、その受信電力を用いてＩＤデータ（識別データ）をＩＣチップに記憶し、質問器にＩＣチップに記憶しているＩＤデータを送信するＲＦＩＤタグである。内部に電池等の駆動エネルギー源を所有していない。送信周波数は、中波からマイクロ波まであり、何れのものでも使用できる。
【００１６】
ＩＤデータ処理用パッシブタブ質問器４は、前記パッシブタグ２にＩＤデータを送信して、パッシブタグ２に任意のＩＤデータ６を書込み、またはそのＩＤデータ６を読取ることができる。この質問器４は、後述する制御部１４との間でＩＤデータ６を送受信する交信手段を備えている。
【００１７】
アクティブタグ８は、内部に不図示のアンテナコイルとＩＣチップとを有すると共に電池を内蔵しており、所定の時間間隔でＩＣチップに記憶しているＩＤデータを送信できるタグである。送信周波数は、中波からマイクロ波まであり、何れの交信周波数のものでも使用できる。交信距離は１０〜１５ｍに達するものが好ましい。
【００１８】
ＩＤデータ処理用アクティブタグ質問器１０は、前記アクティブタグ８にＩＤデータを書込み、またはアクティブタグ８の発信するＩＤデータ１２を読取ることができる。この質問器１０は、後述する制御部１４との間でＩＤデータ等を送受信する交信手段を備えている。
【００１９】
ＩＤデータ処理用アクティブタグ質問器１０は、後述する検出領域３０内にアクティブタグの位置を検出するために複数配置され、所定時間間隔毎にアクティブタグ８と交信を繰返す。
【００２０】
１４は制御部で、予め図示していない質問器によって、パッシブタグ２のＩＤデータ６とアクティブタグ８のＩＤデータ１２とを任意の方法で関連付けて、この関連付けたデータを基準データ１６としてメモリ１８に記憶する手段を有する。関連づけの方法としては、パッシブタグ２のＩＤデータ６とアクティブタグ８のＩＤデータ１２とを一連の数字記号で表現する方法、更に一連の数字記号を圧縮したり暗号化する公知の方法等が例示できる。
【００２１】
制御部１４は、パッシブタグ２のＩＤデータ６を記憶する手段（メモリ２０）、後述する検出領域３０からの位置検出用アクティブタグ質問器Ａ１〜Ａｎによって送信される位置検出用アクティブタグ質問器の位置データと関連付けられているアクティブタグのＩＤデータ１２を記憶する手段（メモリ２２）、更に、基準データ１６を基にパッシブタグのＩＤデータ６とアクティブタグのＩＤデータ１２とを比較関連付けてその結果を表示部２６に送信する比較手段２４を有する。なお、位置検出用アクティブタグ質問器Ａ１〜Ａｎによって送信されるアクティブタグのＩＤデータ１２は、所定時間毎に、例えば５分間隔で制御部１４に送信され、該ＩＤデータは更新される。
【００２２】
前記検出領域３０は、本システムの使用に際して不図示の移動体に付帯されたアクティブタグ８がどの位置にあるかを検出する領域である。この検出領域３０には、複数の位置検出用アクティブタグ質問器Ａ１・・・・Ａｔ・・・・Ａｎが、任意の配置で分散して定位置に設置されている。位置検出用アクティブタグ質問器Ａ１〜Ａｎは、前記制御部１４との間の交信手段を有し、その構造、機能等は、前記ＩＤデータ処理用アクティブタグ質問器１０と同様である。
【００２３】
位置検出用アクティブタグ質問器Ａ１〜Ａｎは、後述するように、移動体と共に接近して来るアクティブタグ８の発信するＩＤデータ１２を受信し、このＩＤデータ１２を制御部１４に送信する。
【００２４】
次に、検出領域をアミューズメント施設とし、同検出領域内で発生する迷子（移動体）の探索方法を例として本ＲＦＩＤ割符タグシステムを説明する。
【００２５】
先ず、アミューズメント施設の入口で、親子（各１名）はパッシブタグ２とアクティブタグ８とからなるタグセットを準備する。このアクティブタグ８には、好ましくは、パッシブタグ２を着脱自在に嵌合できるパッシブタグ収納部（不図示）を形成してある。このパッシブタグ収納部には、アクティブタグ８の電源スイッチを設けてあり、パッシブタグ２をパッシブタグ収納部に挿入しているときは、電源スイッチはオフ状態になり、パッシブタグ２をパッシブタグ収納部から抜取るとアクティブタグ８の電源スイッチがオンになる。本システムの不使用時には、アクティブタグ８のパッシブタグ収納部にパッシブタグを挿入しておくことにより、電源スイッチがオフ状態になり、電力の節約ができる。
【００２６】
タグセットが、上記構成の場合には、アミューズメント施設入口でパッシブタグ収納部からパッシブタグを抜取る。または、上記構成になっていない場合は、アクティブタグ８の電源スイッチをオンにする。
【００２７】
次に、制御部１４に於いて、任意のＩＤデータを発生させる。発生方法としては、例えば乱数列を発生させる方法がある。この乱数列を図示しない乱数列発生装置で発生させ、その乱数列をＩＤデータメモリ１８に基準データ１６として記憶させる。更にこの乱数列発生装置でこの乱数列を上半桁と下半桁に分割し、上半桁をＩＤデータ処理用パッシブタグ質問器４に送信し、パッシブタグ２に乱数列の上半桁をパッシブタグ２のＩＤデータ６として書込む。
【００２８】
同様にして、乱数の下半桁をＩＤデータ処理用アクティブタグ質問器１０に送信し、アクティブタグ８に乱数の下半桁をアクティブタグ８のＩＤデータ１２としてアクティブタグ８に書込む。この操作により、ＩＤデータ６とＩＤデータ１２とが関連付けされ、基準データ１６としてメモリ１８に記憶されていることになる。
【００２９】
その後、アクティブタグ８を子供に所持させる。親はパッシブタグ２を持って検出領域３０であるアミューズメント施設内で時間を過す。しばらくして、親は子供が迷子になったことに気がつく。
【００３０】
そこで、親は制御部１４の設置された場所に行き、パッシブタグ２のＩＤデータ６をＩＤデータ処理用パッシブタグ質問器４に読取らせる。ＩＤデータ処理用パッシブタグ質問器４が読取ったパッシブタグ２のＩＤデータ６は制御部１４に送られ、メモリ２０に記憶させる。
【００３１】
一方、アクティブタグ８を持った子供がアミューズメント施設内の各所に配置した位置検出用アクティブタグ質問器Ａ１〜Ａｎの何れか（Ａｔとする）に接近すると、位置検出用アクティブタグ質問器Ａｔが、アクティブタグ８の発信するＩＤデータ１２を検出し、その質問器Ａｔの設置位置情報と共に、アクティブタグ８のＩＤデータ８を制御部１４に送信する。
【００３２】
制御部１４に於いては、メモリ２０に記憶しているパッシブタグのＩＤデータ６とメモリ２２に記憶しているアクティブタグ８のＩＤデータ１２とを比較手段２４で比較し、一致する場合は一致した旨及びアクティブタグ８のＩＤデータ１２と関連付けられている質問器Ａｔの位置を表示部２６に表示する。これにより、親は迷子のいる場所を知ることができる。一方、アミューズメント施設関係者は、真実の親子であることを確認できる。
【００３３】
一致しない場合は、同様の操作を一致するまで繰返す。
【００３４】
さらに、出口ゲートで親が持つパッシブタグ２と、子の持つアクティブタグ８のそれぞれのＩＤデータが関連づけられたものではない場合、または一方だけである場合は警報を鳴らすなどすれば、子の連れ出しを防止することもできる。
【００３５】
上記例に於いては、パッシブタグ２を親が所持していたが、これに限られず、例えば、手荷物にパッシブタグ２を収納してアミューズメント施設の荷物預かり所等に預けても良い。この場合は、上記の迷子探索機能に加えて、荷物取出しの際に本人であることを確認できる機能を付加でき、他人による手荷物の不正持出しを防止できる。
【００３６】
更に、上記例に於いては、関連づけしたＩＤデータを制御部１４で発生させたがこれに限られず、予めパッシブタグ２及びアクティブタグ８にＩＤデータが書込まれていても良い。この場合は、ＩＤデータ処理用パッシブタグ質問器４とＩＤデータ処理用アクティブタグ質問器１０とで読込んだ各ＩＤデータを制御部で関連づけして基準データとしてメモリ１８に記憶すればよい。
【００３７】
また更に、上記例に於いては位置検出用アクティブタグ質問器Ａ１〜Ａｎを検出領域３０内の定位置に設置したが、これに限られない。即ち、携帯型アクティブタグ質問器をアミューズメント施設の職員等が所持してアミューズメント施設内を巡回しても良い。このような質問器は市販品が使用できる。また、本システムの適用施設もアミューズメント施設に限られず、企業内、飛行場、駅構内、展示場等の各種の施設で、物流、人間の管理等に利用できる。
【００３８】
以下、実施例により本発明を更に具体的に説明する。
【実施例】
【００３９】
実施例１
親子が遊園地を利用する場合について説明する。親子が入園する際、予めそれぞれＩＤデータが関連づけられた１組のアクティブタグ（リンテック社製  Britem TR-T003）と、パッシブタグ（リンテック社製  Britem TS-T001）が親子に渡され、アクティブタグを子が、パッシブタグを親がそれぞれ携帯する。
【００４０】
子の携帯するアクティブタグからは、ＩＤデータが５分間おきに発信され、近くのＩＤデータ処理用アクティブタグ質問器（リンテック社製  Britem TR-W003）によって受信される。このＩＤデータは制御部に送られ、アクティブタグのＩＤデータと受信した該アクティブタグ質問器の位置とが関連付けられて保存される。
【００４１】
子が迷子になると、親は遊園地の事務所や、遊戯施設の係員詰所等のＩＤデータ処理用パッシブタグ質問器(リンテック社製  Britem TS-W001)の設置場所に行き、パッシブタグをパッシブタグ質問器にかざすことで該質問器にパッシブタグのＩＤデータを送信する。
【００４２】
制御部では、該パッシブタグのＩＤデータと関連付けられているアクティブタグのＩＤデータを抽出し、そのＩＤデータを持つアクティブタグの位置を表示することで、子の位置を表示部に表示させる。その後、子が表示されている場所に親が直接向ったり、子の近くの係員を向わせ、迷子になった子を親の元に返すことができる。
【００４３】
また、親子が遊園地を退場する際に、出口でアクティブタグとパッシブタグとを返却するが、このときそれぞれのタグのＩＤデータが関連付けられたものであることを確認し、入園時の親子であることを確認できる。この確認をすることで、他人による子の連れ出しを防止できる。
【図面の簡単な説明】
【００４４】
【図１】本発明のＲＦＩＤ割符タグシステムの構成の一例を示すブロック図である。
【符号の説明】
【００４５】
２    パッシブタグ
４    ＩＤデータ処理用パッシブタブ質問器
６    パッシブタグのＩＤデータ
８    アクティブタグ
１０    ＩＤデータ処理用アクティブタグ質問器
１２    アクティブタグのＩＤデータ
１４    制御部
１６    基準データ
１８、２０    メモリ
２４    比較手段
２６    表示部
３０    検出領域
Ａ１、Ａ２、Ａｎ、Ａｔ    位置検出用アクティブタグ質問器
【図１】
2006293603.tif 000003